(57)【要約】【課題】抵抗値のバラツキが小さく、調整作業の不必要な印刷抵抗体の構造を提供する。【解決手段】本発明の印刷抵抗体の構造において、第１，第２の導電パターン２，３のそれぞれには、互いに向かい合った状態で、互いに近づくように延びる凸状の接続部４，５が設けられ、第１，第２の導電パターン２，３の接続部４，５間には、接続部４，５の先端部４ａ、５ａの全体を覆うと共に、接続部４，５の幅より広い幅からなる帯状の抵抗体６が形成されたため、接続部４，５の先端部４ａ、５ａにおいては、抵抗体６のダレが無なり、従って、接続部４，５間における抵抗値が一定となり、抵抗値の調整作業が不必要となる。【選択図】　　　　図１
2004055946.tif 000002
【特許請求の範囲】
【請求項１】
互いに間隔を置いて形成された帯状の第１，第２の導体パターンを有する絶縁基板と、前記第１，第２の導電パターン間に印刷によって形成された抵抗体とを備え、前記第１，第２の導電パターンのそれぞれには、互いに向かい合った状態で、互いに近づくように延びる凸状の接続部が設けられ、前記第１，第２の導電パターンの前記接続部間には、前記接続部の先端部の全体を覆うと共に、前記接続部の幅より広い幅からなる帯状の前記抵抗体が形成されたことを特徴とする印刷抵抗体の構造。
【請求項２】
前記第１，第２の導電パターンの前記接続部の前記先端部は、互いに平行な状態で配置されたことを特徴とする請求項１記載の印刷抵抗体の構造。
【請求項３】
前記抵抗体は、前記接続部の幅より広い幅で、前記第１，第２の導電パターンに跨って形成されたことを特徴とする請求項１、又は２記載の印刷抵抗体の構造。
【請求項４】
前記絶縁基板には、前記第１，第２の導電パターンを含む配線パターンが形成されると共に、前記配線パターンに電気部品が搭載されて、前記絶縁基板が回路基板として構成されたことを特徴とする請求項１から３の何れかに記載の印刷抵抗体の構造。
【発明の詳細な説明】
【０００１】
【発明の属する技術分野】
本発明はチューナ等の電子回路ユニットに適用して好適な印刷抵抗体の構造に関する。
【０００２】
【従来の技術】
従来の印刷抵抗体の構造を図３に基づいて説明すると、セラミック材やフェノール樹脂等からなる絶縁基板５１の一面には、互いに平行な状態で、帯状の一対の第１，第２の導電パターン５２，５３が形成されている。
【０００３】
そして、この第１，第２の導電パターン５２，５３間には、カーボン等の材料からなる抵抗体５４が印刷によって形成されている。
この抵抗体５４は、第１，第２の導電パターン５２，５３に対して直交した状態で橋渡しされている。
【０００４】
しかし、帯状の一対の第１，第２の導電パターン５２，５３間に印刷形成された抵抗体５４は、第１，第２の導電パターン５２，５３のエッジ５２ａ、５３ａと絶縁基板５１の表面との間の段差箇所でダレ５４ａが生じて、ダレ５４ａの部分で抵抗体５４の幅が広くなり、その結果、第１，第２の導電パターン５２，５３間の抵抗値のバラツキが大きくなって、抵抗値の調整作業が必要となる。
【０００５】
【発明が解決しようとする課題】
従来の印刷抵抗体の構造は、帯状の一対の第１，第２の導電パターン５２，５３間に抵抗体５４が印刷形成されるため、第１，第２の導電パターン５２，５３のエッジ５２ａ、５３ａと絶縁基板５１の表面との間の段差箇所でダレ５４ａが生じて、ダレ５４ａの部分で抵抗体５４の幅が広くなり、その結果、第１，第２の導電パターン５２，５３間の抵抗値のバラツキが大きくなって、抵抗値の調整作業が必要となるという問題がある。
【０００６】
そこで、本発明は抵抗値のバラツキが小さく、調整作業の不必要な印刷抵抗体の構造を提供することを目的とする。
【０００７】
【課題を解決するための手段】
上記課題を解決するための第１の解決手段として、互いに間隔を置いて形成された帯状の第１，第２の導体パターンを有する絶縁基板と、前記第１，第２の導電パターン間に印刷によって形成された抵抗体とを備え、前記第１，第２の導電パターンのそれぞれには、互いに向かい合った状態で、互いに近づくように延びる凸状の接続部が設けられ、前記第１，第２の導電パターンの前記接続部間には、前記接続部の先端部の全体を覆うと共に、前記接続部の幅より広い幅からなる帯状の前記抵抗体が形成された構成とした。
【０００８】
また、第２の解決手段として、前記第１，第２の導電パターンの前記接続部の前記先端部は、互いに平行な状態で配置された構成とした。
また、第３の解決手段として、前記抵抗体は、前記接続部の幅より広い幅で、前記第１，第２の導電パターンに跨って形成された構成とした。
【０００９】
また、第４の解決手段として、前記絶縁基板には、前記第１，第２の導電パターンを含む配線パターンが形成されると共に、前記配線パターンに電気部品が搭載されて、前記絶縁基板が回路基板として構成された。
【００１０】
【発明の実施の形態】
本発明の印刷抵抗体の構造の図面を説明すると、図１は本発明の印刷抵抗体の構造の第１実施例を示す要部の拡大平面図、図２は本発明の印刷抵抗体の構造の第２実施例を示す要部の拡大平面図である。
【００１１】
次に、本発明の印刷抵抗体の構造の第１実施例における構成を図１に基づいて説明すると、セラミック材やフェノール樹脂等からなる絶縁基板１の一面には、互いに平行な状態で、帯状の一対の第１，第２の導電パターン２，３が形成されている。
【００１２】
また、第１，第２の導電パターン２，３のそれぞれには、互いに向かい合った状態で、互いに近づくように延びる凸状の接続部４，５が設けられ、この接続部４，５の先端部４ａ、５ａは、互いに平行な状態で配置されている。
【００１３】
そして、この接続部４，５を含む第１，第２の導電パターン５２，５３間には、カーボン等の材料からなる帯状の抵抗体６が印刷によって形成されている。
この帯状の抵抗体６は、接続部４，５の幅より広い幅で形成され、接続部４，５の全体を覆った状態で、第１，第２の導電パターン２，３に跨って形成されている。
【００１４】
また、抵抗体６は、第１，第２の導電パターン２，３に対して直交した状態で橋渡しされている。
そして、帯状の第１，第２の導電パターン２，３まで延びた抵抗体６は、第１，第２の導電パターン２，３のエッジ２ａ、３ａと絶縁基板１の表面との間の段差箇所でダレ６ａが生じる。
【００１５】
しかし、帯状の第１，第２の導電パターン２，３のそれぞれには、凸状の接続部４，５が設けられているため、第１，第２の導電パターン２，３間の抵抗値は、接続部４，５間における抵抗値で決定され、このため、ダレ６ａが生じても、抵抗値には何ら影響が生じないものとなり、従って、抵抗値の調整作業が不必要となる。
【００１６】
なお、帯状の第１，第２の導電パターン２，３は、配線パターン７の一部を構成したもとなっており、ここでは図示しないが、種々の電気部品（図示せず）が配線パターン７に搭載されて、絶縁基板１が回路基板として構成されたものとなっている。
【００１７】
また、図２は本発明の印刷抵抗体の構造の第２実施例を示し、この第２実施例は、接続部４，５の先端部４ａ、５ａの全体を覆うと共に、接続部４，５の幅より広い幅からなる帯状の抵抗体６が形成されたものである。
その他の構成は、前記第１実施例と同様であるので、同一部品に同一番号を付し、ここではその説明を省略する。
【００１８】
そして、このような構成にすると、接続部４，５の先端部４ａ、５ａにおいては、抵抗体６のダレが無く、従って、接続部４，５間における抵抗値が一定となり、抵抗値の調整作業が不必要となる。
【００１９】
【発明の効果】
本発明の印刷抵抗体の構造は、互いに間隔を置いて形成された帯状の第１，第２の導体パターンを有する絶縁基板と、第１，第２の導電パターン間に印刷によって形成された抵抗体とを備え、第１，第２の導電パターンのそれぞれには、互いに向かい合った状態で、互いに近づくように延びる凸状の接続部が設けられ、第１，第２の導電パターンの接続部間には、接続部の先端部の全体を覆うと共に、接続部の幅より広い幅からなる帯状の抵抗体が形成された構成とした。
このような構成によって、接続部の先端部においては、抵抗体のダレが無なり、従って、接続部間における抵抗値が一定となり、抵抗値の調整作業の不必要な印刷抵抗体の構造を提供できる。
【００２０】
また、第１，第２の導電パターンの接続部の先端部は、互いに平行な状態で配置されたため、抵抗値の設定が容易となって、生産性良いものが得られる。
【００２１】
また、抵抗体は、接続部の幅より広い幅で、第１，第２の導電パターンに跨って形成されたため、第１，第２の導電パターン間の抵抗値は、接続部間における抵抗値で決定され、このため、ダレが生じても、抵抗値には何ら影響が生じないものとなり、抵抗値の調整作業の不必要なもの得られる。
【００２２】
また、絶縁基板には、第１，第２の導電パターンを含む配線パターンが形成されると共に、配線パターンに電気部品が搭載されて、絶縁基板が回路基板として構成されたため、自動化による製造が可能で、特に、電子回路ユニットに使用して好適なものが得られる。
【図面の簡単な説明】
【図１】本発明の印刷抵抗体の構造の第１実施例を示す要部の拡大平面図。
【図２】本発明の印刷抵抗体の構造の第２実施例を示す要部の拡大平面図。
【図３】従来の印刷抵抗体の構造を示す要部の拡大平面図。
【符号の説明】
１　絶縁基板
２　第１の導電パターン
２ａ　エッジ
３　第２の導電パターン
３ａ　エッジ
４　接続部
４ａ　先端部
５　接続部
５ａ　先端部
６　抵抗体
６ａ　ダレ
７　配線パターン
【図１】
2004055946.tif 000003
【図２】
2004055946.tif 000004
【図３】
2004055946.tif 000005